(57)【要約】【課題】ゲルホルダへとゲル材を充填する際に、ディスペンサのニードルの位置決めが可能であり、また、ニードルの先端と注入孔との隙間をなくし充填時に注入孔からゲル材が溢れることを防止した対物レンズアクチュエータを提供する。【解決手段】ゲル注入孔３２の内周面は、外面側開口部の内径Ｄ１が、内面側開口部の内径Ｄ２よりも大径（Ｄ１＞Ｄ２）となるように、内面即に近づくに従って内径を漸次小さくしたテーパ状に形成されている。更に、これら外面側及び内面側の内径Ｄ１，Ｄ２は、ゲル材の注入に用いられるディスペンサのニードル２１の外径ｄ１に対して、外面側の内径Ｄ１がニードル２１の外径ｄ１より大径（Ｄ１＞ｄ１）となるように、内面側の内径Ｄ２がニードル２１の外径ｄ１よりも小径（Ｄ２＜ｄ１）となるように形成されている。【選択図】図７
2008034052.tif 000002
【特許請求の範囲】
【請求項１】
光源と、
該光源から出射された光束を光記録媒体の記録面に集束する対物レンズと、
ベース部材及び、前記対物レンズを保持し複数のコイルが固着された対物レンズホルダと、前記対物レンズホルダを変位可能に支持するサスペンションワイヤと、前記ベース部材上に設けられる、磁気回路を構成する永久磁石及びヨークと、内部にゲル材が充填されたゲル保持孔を複数有し、前記ゲル保持孔に前記サスペンションワイヤを挿通することにより前記サスペンションワイヤの振動を減衰可能とするゲルホルダと、を有し、前記永久磁石と前記コイルとの電磁力作用によって前記対物レンズホルダの移動とともに前記対物レンズを変位させる対物レンズアクチュエータと、
を備える光ピックアップ装置において、
前記ゲルホルダの側面には、前記ゲル保持孔へと通じる円形状に形成されたゲル注入孔が、その内面側開口部が前記サスペンションワイヤと対向しないように、且つ前記ゲル保持孔の前記サスペンションワイヤを挿通するように対向配置される一対の開口面の中央に位置するように穿設されており、
前記ゲル注入孔の外面側開口部の内径は、前記ゲル材の注入に用いられる注入手段のニードルの外径よりも大径に形成され、更に、前記ゲル注入孔の内面側開口部の内径は前記ニードルの外径よりも小径且つ前記ニードルの内径と同径若しくは前記ニードルの内径よりも大径に形成されて、その内周面は内面側に近づくに従って内径を漸次小さくしたテーパ状に形成されていることを特徴とする光ピックアップ装置。
【請求項２】
ベース部材及び、前記対物レンズを保持し複数のコイルが固着された対物レンズホルダと、前記対物レンズホルダを変位可能に支持する棒状弾性部材と、前記ベース部材上に設けられる、磁気回路を構成する永久磁石及びヨークと、内部にゲル材が充填されたゲル保持孔を複数有し、前記ゲル保持孔に前記サスペンションワイヤを挿通することにより前記の棒状弾性部材振動を減衰可能とするゲルホルダと、を備え、前記永久磁石と前記コイルとの電磁力作用によって前記対物レンズホルダの移動とともに前記対物レンズを変位させる対物レンズアクチュエータにおいて、
前記ゲルホルダの側面又は上面には、前記ゲル保持孔へと通じる円形状に形成されたゲル注入孔が穿設されており、
前記ゲル注入孔の外面側開口部の内径は、ゲル材の注入に用いられる注入手段のニードルの外径よりも大径に形成され、更に、前記ゲル注入孔の内面側開口部の内径は前記ニードルの外径よりも小径に形成されていることを特徴とする対物レンズアクチュエータ。
【請求項３】
前記ゲル注入孔の内面側開口部の内径が、前記ニードルの内径と同径若しくは前記ニードルの内径よりも大径に形成されることを特徴とする請求項２に記載の対物レンズアクチュエータ。
【請求項４】
前記ゲル注入孔の内周面は、内面側に近づくに従って内径を漸次小さくしたテーパ状に形成されていることを特徴とする請求項２又は請求項３に記載の対物レンズアクチュエータ。
【請求項５】
前記ゲル注入孔の内面側開口部には、前記ゲル注入孔の半径方向内方へと突出して前記ニードルと当接するする当接縁が設けられ、前記当接縁と前記ニードルとが当接する位置における前記ゲル注入孔の内径は、前記ニードルの外径と略同径に形成され、且つ、前記当接縁の突出量は、前記ニードルの肉厚と同等若しくは前記ニードルの肉厚よりも小さく形成されることを特徴とする請求項２乃至請求項４のいずれかに記載の対物レンズアクチュエータ。
【請求項６】
前記ゲル注入孔は、その内面側開口部が前記ゲル保持孔の前記棒状弾性部材を挿通するように対向配置される一対の開口面の中央に位置するように穿設されていることを特徴とする請求項２乃至請求項５のいずれかに記載の対物レンズアクチュエータ。
【請求項７】
前記ゲル注入孔は、その内面側開口部が前記ゲル保持孔内を挿通される前記棒状弾性部材と対向しない位置に設けられていることを特徴とする請求項２乃至請求項６のいずれかに記載の対物レンズアクチュエータ。
【請求項８】
請求項２から請求項７のうちいずれか１項に記載の対物レンズアクチュエータを備えることを特徴とする光ピックアップ装置。
【発明の詳細な説明】
【技術分野】
【０００１】
本発明は、光記録媒体に光ビームを照射して情報の記録や情報の読み取りを可能とする光ピックアップに搭載される対物レンズアクチュエータに関するものであり、特に対物レンズホルダを金属線で支持する方式の対物レンズアクチュエータの構造に関するものである。また、本発明は、そのような対物レンズアクチュエータを備える光ピックアップ装置に関するものである。
【背景技術】
【０００２】
近年、コンパクトディスク（以下、ＣＤという。）やデジタル多用途ディスク（以下、ＤＶＤという。）といった光記録媒体が普及している。このような光記録媒体の記録再生を行うにあたっては、光記録媒体に光ビームを照射して情報の記録や情報の読み取りを可能とする光ピックアップ装置が用いられることとなるが、このような光ピックアップ装置においては、光源から出射された光ビームを対物レンズを通じて光記録媒体の記録面上に高精度に集光させることが要求されるため、これを実現する構成として対物レンズアクチュエータが不可欠となっている。
【０００３】
対物レンズアクチュエータとしては、対物レンズを保持した対物レンズホルダが複数本の弾性を有する金属線によって基台に対して揺動可能に支持されたものがあり、このような対物レンズアクチュエータでは、一般的に、対物レンズホルダにフォーカス用コイル及びトラッキング用コイル等を備え、基台上に永久磁石を備える。基台上には基板が立設されていて、上記の各金属線の一端が基板に接続されるとともに、各金属線の他端がフォーカス用コイル又はトラッキング用コイルに接続されている。更にそれらの各金属線は、接着剤やハンダ等で対物レンズホルダに接合されている。
【０００４】
このような対物レンズアクチュエータでは、各金属線を通じてフォーカス用コイルやトラッキング用コイル等に電流が供給され、これにより、永久磁石との間での電磁気的な作用で対物レンズホルダが駆動して微動し、対物レンズへのフォーカス調整やトラッキング調整が行われる。また、対物レンズホルダの駆動効率をより高める観点から、永久磁石からの磁束をフォーカス用コイルやトラッキング用コイルやチルト用コイルに有効に引き込んで高密度の磁束を与えるために、基台上に強磁性体のヨークを備えたものもある。
【０００５】
ここで、各金属線には対物レンズホルダの駆動に応じて振動が生じるため、これを抑制する工夫が施されている。その工夫として、図１２に示すように、不図示のフォーカス用コイル、トラッキング用コイル、チルト用コイルと、基板とに接続されて対物レンズホルダを揺動可能に支持する６本の金属線１００が挿通される貫通孔１０１を有する樹脂成型品のゲルホルダ１０２が、不図示の基台上に固定されており、そのゲルホルダ１０２の貫通孔１０１内にはシリコンを主成分とするゲル材が充填されている。なお、ここでのゲル材は、ゲルホルダ１０２の各貫通孔１０１に注入された後、所定時間の紫外線照射によってゲル状に硬化したものである。このような構成にすることにより、各金属線１００に生じた振動を、ゲルホルダ１０２における各貫通孔１０１内のゲル材によって減衰し抑制することができる。
【０００６】
しかし、図１２に示したように、従来のゲルホルダ１０２では、ゲル材の注入は貫通孔１０１の開口、すなわち金属線１００の挿入方向から注入する必要があり、金属線１００の近傍でゲル材の注入を行うため、貫通孔１０１に挿入されている金属線１００の本数が多い場合には、特に注入作業中にディスペンサのニードル１０３が金属線１００に触れて、金属線１００を変形させてしまうことがあり、かかる場合、対物レンズアクチュエータのチルト特性が悪化することがあった。また、注入するゲル材の粘度が高い場合には、注入速度が速いと表面張力によって、ゲル材が貫通孔１０１の底に到達する前にゲル材が貫通孔１０１の開口から溢れてしまうことがあった。
【０００７】
そのため、上記のようなゲル材注入作業中に生じる不具合を防止するため、種々の技術が提案されており、例えば、特許文献１又は特許文献２には、ゲルホルダに設けられた金属線を挿通させる貫通孔を、ゲルホルダの側方に開放させた光ピックアップが開示されている。これによれば、ゲル材の充填作業をゲルホルダの側方から行うことができるため、ディスペンサのニードルが金属線に触れることが少なくなり、ゲル材の充填作業性を向上させることができる。
【０００８】
しかし、特許文献１及び特許文献２に記載の光ピックアップでは、ゲル材が注入される貫通孔が側方に開放されており、ゲル材を充填しやすいという利点がある反面で、貫通孔が側方に広く開放されているため、充填されたゲル材の表面が開放部分で上下方向に凹形状に成形されたり、凸形状に成形されたりして、各貫通孔に一定量のゲル材を充填することが困難であった。そして、各貫通孔のゲル材充填量に差が生じると、各貫通孔に挿入されている金属線に対する制振作用が一様に発揮されなくなって対物レンズの変位特性が低下し、光ピックアップによる読み書き性能が低下するという問題があった。
【０００９】
そこで、特許文献３乃至５には、ゲルホルダに設けられた貫通孔の側面にゲル材を充填するための注入孔を設けた光ピックアップが開示されている。これによれば、ゲル材が充填される注入孔は比較的小さく形成されているため、注入孔からゲル材を充填した場合に、ゲル材の表面が上下方向で凹み形状や膨らみ形状に形成されたりするおそれがなく、各貫通孔のゲル材充填量を均一にすることができる。
【特許文献１】特開平１１−２６５１６号公報
【特許文献２】特開２００５−１１６０６２号公報
【特許文献３】特開平１０−１０６０００号公報
【特許文献４】特開２００３−２３３９１９号公報
【特許文献５】特開２００５−２５１２９５号公報
【発明の開示】
【発明が解決しようとする課題】
【００１０】
しかしながら、特許文献３乃至５に記載されている光ピックアップの構成では、ゲルホルダに設けられた注入孔からゲル材を充填することにより、各貫通孔のゲル材充填量を均一にすることができるが、注入孔の内径がニードルの外径よりも大きく形成されている場合には、ニードルの先端を注入孔から貫通孔内部へと挿入してしまい、ニードルが貫通孔に挿入されている金属線に触れて金属線を変形させてしまうことがあり、注入孔の内径がニードルの外径よりも小さく形成されている場合には、ニードルの先端が位置決めされないため、ゲル材充填作業時にニードルの先端が注入孔から外れてしまい、注入孔の周囲にゲル材を付着させてしまうおそれがあった。また更に、ニードル先端の断面形状と注入孔の形状とが異なる場合には、ニードルの先端を注入孔に配置したときニードルと注入孔とに隙間が生じ、ゲル材を充填する際にこの隙間からゲル材が溢れることがあった。
【００１１】
本発明においては上述の事情に鑑み、ゲルホルダにゲル材を充填する際に、ディスペンサのニードルの位置決めが可能であり、また、ニードルの先端と注入孔との隙間をなくし充填時に注入孔からゲル材が溢れることを防止した対物レンズアクチュエータ及びそれを備えた光ピックアップ装置を提供することを目的とする。
【課題を解決するための手段】
【００１２】
上記目的を達成するために本発明は、光源と、該光源から出射された光束を光記録媒体の記録面に集束する対物レンズと、ベース部材及び、前記対物レンズを保持し複数のコイルが固着された対物レンズホルダと、前記対物レンズホルダを変位可能に支持するサスペンションワイヤと、前記ベース部材上に設けられる、磁気回路を構成する永久磁石及びヨークと、内部にゲル材が充填されたゲル保持孔を複数有し、前記ゲル保持孔に前記サスペンションワイヤを挿通することにより前記サスペンションワイヤの振動を減衰可能とするゲルホルダと、を有し、前記永久磁石と前記コイルとの電磁力作用によって前記対物レンズホルダの移動とともに前記対物レンズを変位させる対物レンズアクチュエータと、を備える光ピックアップ装置において、前記ゲルホルダの側面には、前記ゲル保持孔へと通じる円形状に形成されたゲル注入孔が、その内面側開口部が前記サスペンションワイヤと対向しないように、且つ前記ゲル保持孔の前記サスペンションワイヤを挿通するように対向配置される一対の開口面の中央に位置するように穿設されており、前記ゲル注入孔の外面側開口部の内径は、前記ゲル材の注入に用いられる注入手段のニードルの外径よりも大径に形成され、更に、前記ゲル注入孔の内面側開口部の内径は前記ニードルの外径よりも小径且つ前記ニードルの内径と同径若しくは前記ニードルの内径よりも大径に形成されて、その内周面は内面側に近づくに従って内径を漸次小さくしたテーパ状に形成されていることを特徴としている。
【００１３】
また、上記目的を達成するために本発明は、ベース部材及び、前記対物レンズを保持し複数のコイルが固着された対物レンズホルダと、前記対物レンズホルダを変位可能に支持する棒状弾性部材と、前記ベース部材上に設けられる、磁気回路を構成する永久磁石及びヨークと、内部にゲル材が充填されたゲル保持孔を複数有し、前記ゲル保持孔に前記サスペンションワイヤを挿通することにより前記の棒状弾性部材振動を減衰可能とするゲルホルダと、を備え、前記永久磁石と前記コイルとの電磁力作用によって前記対物レンズホルダの移動とともに前記対物レンズを変位させる対物レンズアクチュエータにおいて、前記ゲルホルダの側面又は上面には、前記ゲル保持孔へと通じる円形状に形成されたゲル注入孔が穿設されており、前記ゲル注入孔の外面側開口部の内径は、ゲル材の注入に用いられる注入手段のニードルの外径よりも大径に形成され、更に、前記ゲル注入孔の内面側開口部の内径は前記ニードルの外径よりも小径に形成されていることを特徴としている。
【００１４】
また、本発明は、上記構成の対物レンズアクチュエータにおいて、前記ゲル注入孔の内面側開口部の内径が、前記ニードルの内径と同径若しくは前記ニードルの内径よりも大径に形成されることを特徴としている。
【００１５】
また、本発明は、上記構成の対物レンズアクチュエータにおいて、前記ゲル注入孔の内周面は、内面側に近づくに従って内径を漸次小さくしたテーパ状に形成されていることを特徴としている。
【００１６】
また、本発明は、上記構成の対物レンズアクチュエータにおいて、前記ゲル注入孔の内面側開口部には、前記ゲル注入孔の半径方向内方へと突出して前記ニードルと当接するする当接縁が設けられ、前記当接縁と前記ニードルとが当接する位置における前記ゲル注入孔の内径は、前記ニードルの外径と略同径に形成され、且つ、前記当接縁の突出量は、前記ニードルの肉厚と同等若しくは前記ニードルの肉厚よりも小さく形成されることを特徴としている。
【００１７】
また、本発明は、上記構成の対物レンズアクチュエータにおいて、前記ゲル注入孔は、その内面側開口部が前記ゲル保持孔の前記棒状弾性部材を挿通するように対向配置される一対の開口面の中央に位置するように穿設されていることを特徴としている。
【００１８】
また、本発明は、上記構成の対物レンズアクチュエータにおいて、前記ゲル注入孔は、その内面側開口部が前記ゲル保持孔内を挿通される前記棒状弾性部材と対向しない位置に設けられていることを特徴としている。
【００１９】
また、本発明は、上記構成の対物レンズアクチュエータを備えたことを特徴とする光ピックアップ装置である。
【発明の効果】
【００２０】
本発明の第１の構成によれば、ゲル材注入時には、ディスペンサのニードルを外面側開口部から挿入することによりニードルの位置決めを行うことができるため、ニードルの先端がゲル注入孔から外れることが防止され、ゲル注入孔の周囲にゲル材を付着させてしまうことが防止される。また、ニードルの先端をゲル注入孔からゲル保持孔へと挿入してしまうことがなく、ニードルによってサスペンションワイヤを変形させてしまうことを確実に防止することができる。更に、ニードルからのゲル材の射出がゲル注入孔の内周面によって妨げられることがないため、ゲル材注入作業の作業効率が低下してしまうことがない。また、射出されるゲル材の圧力によってニードルの先端がゲル注入孔から外れてしまうことが防止される。
【００２１】
また、本発明の第２の構成によれば、ゲルホルダに設けられたゲル保持孔にゲル材を注入する際には、ディスペンサのニードルの先端縁を外面側開口部から挿入することによりニードルの位置決めを行うことができるため、ゲル材注入時にニードルの先端がゲル注入孔から外れることが防止され、ゲル注入孔の周囲にゲル材を付着させてしまうことを防止することができる。また、ゲル注入孔の内面側の内径がニードルの外径よりも小径であるため、ニードルの先端をゲル注入孔からゲル保持孔へと挿入してしまうことがなく、ニードルによってゲル保持孔に挿通せしめられている棒状弾性部材を変形させてしまうことを確実に防止することができる。
【００２２】
また、本発明の第３の構成によれば、上記第２の構成の対物レンズアクチュエータにおいて、ゲル注入孔の内面側開口部の内径がニードルの内径よりも大径であり、ニードルからのゲル材の射出がゲル注入孔の内周面によって妨げられることがないため、ゲル材注入作業の作業効率が低下してしまうことがない。また、射出されるゲル材の圧力によってニードルの先端がゲル注入孔から外れてしまうことが防止される。
【００２３】
また、本発明の第４の構成によれば、上記第２又は第３の構成の対物レンズアクチュエータにおいて、ディスペンサのニードルの先端縁をゲル注入孔へと挿入させる際に、テーパ状に形成された内周面に沿わすようにしてニードルを挿入させることができるため、ニードルの位置決めを容易に行うことができる。
【００２４】
また、本発明の第５の構成によれば、上記第２乃至第４のいずれかの構成の対物レンズアクチュエータにおいて、ゲルホルダに設けられたゲル保持孔にゲル材を注入する際には、ディスペンサのニードルの先端縁をゲル注入孔へと挿入させ、ニードルの先端を当接縁に当接させることにより、更に精確にニードルの位置決めを行うことができ、ゲル注入孔の周囲にゲル材を付着させてしまうことを確実に防止することができる。
【００２５】
また、本発明の第６の構成によれば、上記第２乃至第５のいずれかの構成の対物レンズアクチュエータにおいて、ゲル注入孔の内面側開口部から、ゲル保持孔に設けられた一方の開口までの距離と、他方の開口までの距離が等しくなるため、ゲル材注入時にゲル保持孔の一方の開口から他方の開口にわたってゲル材を注入しようとしたとき、一方の開口からゲル材が溢れてしまうことがなく、棒状弾性部材と平行な方向にゲル材を均一に注入することができる。
【００２６】
また、本発明の第７の構成によれば、上記第２乃至第６のいずれかの構成の対物レンズアクチュエータにおいて、ゲル材注入時にゲル注入孔から注入されたゲル材の圧力によって、ゲル保持孔内を挿通せしめられている棒状弾性部材が変形することが防止される。
【００２７】
また、本発明の第８の構成によれば、上記第２乃至第７のいずれかの構成の対物レンズアクチュエータを光ピックアップ装置に搭載することによって、ゲルホルダに設けられたゲル注入孔の周囲に付着したゲル材が、光ピックアップ装置を構成する他の部材に付着してしまうことが防止される。また、ゲルホルダへのゲル材注入作業の作業性が向上するため、光ピックアップ装置全体の組立作業効率も向上させることができる。
【発明を実施するための最良の形態】
【００２８】
以下に本発明の実施形態を、図面を参照しながら説明する。なお、ここで示す実施形態は一例であり、本発明はここに示す実施形態に限定されるものではない。
【００２９】
図１は、本発明の対物レンズアクチュエータを備える光ピックアップ装置の光学系を示す概略図である。図１において、１は光ピックアップ装置であり、例えば、ＣＤやＤＶＤ等の光記録媒体９に対して、光ビームを照射して反射光を受光することにより光記録媒体９の記録面９ａに記録されている情報を読み取ったり、光記録媒体９に光ビームを照射して記録面９ａに情報を書き込んだりすることを可能とする装置である。この光ピックアップ装置１の光学系は、例えば、光源２と、ビームスプリッタ３と、コリメートレンズ４と、立ち上げミラー５と、１／４波長板６と、対物レンズ７と、光検出器８と、を備えている。以下に、各光学素子の詳細を説明する。
【００３０】
光源２は、半導体レーザーで構成されており、光ピックアップ装置１が例えば、ＣＤ用又はＤＶＤ用のものであれば、例えば、光源２はそれぞれ７８０ｎｍ帯、６５０ｎｍ帯の光ビームを出射する。なお、本実施形態においては、単一の波長を有する光源を１つだけ配置する構成としているが、これに限定される趣旨ではなく、例えば、単一の波長を有する光源を複数個配置する構成等としても構わない。また、光源として、例えば２波長１パッケージタイプの光源を用いる構成等としても構わない。
【００３１】
ビームスプリッタ３は、光ビームを分離する分離素子として機能し、光源２から出射された光ビームを透過して光記録媒体側９へと導くとともに、光記録媒体９で反射された反射光を反射して光検出器８へと導く。ビームスプリッタ３を透過した光ビームは、コリメートレンズ４に送られる。
【００３２】
コリメートレンズ４は、ビームスプリッタ３を透過した光ビームを平行光に変換するレンズである。ここで、平行光とは、光源２から出射された光ビームの全ての光路が光軸とほぼ平行である光をいう。コリメートレンズ４を透過した平行光は、立ち上げミラー５に送られる。
【００３３】
立ち上げミラー５は、コリメートレンズ４を透過してきた光ビームを反射して光記録媒体９へと導く。立ち上げミラー５は、コリメートレンズ４からの光ビームの光軸に対して４５°傾いた状態となっており、立ち上げミラー５で反射された光ビームの光軸は、光記録媒体９の記録面９ａと略直交する。立ち上げミラー５で反射された光ビームは、１／４波長板６へと送られる。
【００３４】
１／４波長板６は、光源２から出射され、立ち上げミラー５で反射された直線偏光の光ビームを円偏光へと変換する。１／４波長板６を透過した光ビームは、対物レンズ７へと送られる。
【００３５】
対物レンズ７は、１／４波長板６を透過した光ビームを光記録媒体９の記録面９ａ上に集光させる。対物レンズ７の開口数（ＮＡ）は、光ピックアップ装置１が、例えば、ＣＤ用、ＤＶＤ用の場合には、それぞれ、ＮＡ＝０．５、ＮＡ＝０．６５とされる。この対物レンズ７は、後述する対物レンズアクチュエータに搭載されており、所定の方向に移動できるように構成されている。
【００３６】
光記録媒体９で反射された反射光は、対物レンズ７、１／４波長板６を透過する。１／４波長板６を透過する反射光は、直線偏光に変換されるが、この際、直線偏光の偏光角は、光源２から出射される光ビームの偏光角と９０°ずれている。１／４波長板６を透過した反射光は、立ち上げミラー５で反射され、コリメートレンズ４を通過した後のビームスプリッタ３で反射されて光検出器８の受光部（図示せず）に到達する。
【００３７】
光検出器８は、受光した光情報を電気信号に変換して、例えば、図示しないＲＦアンプ等に出力する。そして、この電気信号は、記録面９ａに記録されているデータの再生信号として、更には、フォーカス制御やトラッキング制御を行うためのサーボ制御用の信号として用いられる。
【００３８】
次に、光ピックアップ装置１が備える第１実施形態の対物レンズアクチュエータ１１の詳細について、図２及び図３を参照しながら説明する。図２は第１実施形態に係る対物レンズアクチュエータ１１の構成を示す概略上面図、図３は図２に示す対物レンズアクチュエータ１１の構成を示す概略側面図である。図４は第１実施形態に係る対物レンズアクチュエータ１１に備えられたゲルホルダ３０を示す斜視図である。
【００３９】
本実施形態における対物レンズアクチュエータ１１は、大きくは、強磁性を有するベース部材１２と、樹脂等から成形される対物レンズホルダ１３とから構成されている。ベース部材１２のほぼ中央には、光源２（図１参照）からの光ビームを通過させる貫通孔（図示せず）が形成され、後述する対物レンズホルダ１３が配置されている。また、ベース部材１２上には、対物レンズホルダ１３を挟むように所定間隔をあけて相互に対向する一対の永久磁石１４ａ，１４ｂが立設されている。これらの永久磁石１４ａ，１４ｂは、其々の外面がベース部材１２から折曲形成された突片１２ａ，１２ｂに磁着されることで、ベース部材１２と磁性的に一体化された状態で固定される。
【００４０】
更にベース部材１２には、永久磁石１４ａと１４ｂとの間に、これらの永久磁石１４ａ，１４ｂと平行となるように対向する一対のヨーク１５ａ，１５ｂが立設されている。なお、これらの各ヨーク１５ａ，１５ｂは、ベース部材１２から折曲形成されて成るものであり、各永久磁石１４ａ，１４ｂから磁束を有効に引き込んで、主として、両者の間に配置される後述するフォーカス用コイルやトラッキング用コイル１６ａ，１６ｂに高密度の磁束を与え、対物レンズホルダ１３の駆動効率を高める役割を担っている。
【００４１】
対物レンズホルダ１３は、その上面の中央部に対物レンズ７が保持されており、この対物レンズホルダ１３には、対物レンズ７の光軸を取り巻くように図示しないフォーカス用コイルが配設され、対物レンズホルダ１３に対し接着剤等で固着されている。また、対物レンズホルダ１３の側壁のうちの各永久磁石１４ａ，１４ｂと対向する側壁の両外側には、それぞれトラッキング用コイル１６ａ，１６ｂが接着剤等で固着されている。
【００４２】
これらの各トラッキング用コイル１６ａ，１６ｂは、それぞれ左右一対より成り全体として１つの線でつながっている。また、対物レンズホルダ１３には、各ヨーク１５ａ，１５ｂを取り巻くように図示しないチルト用コイルが接着剤等で固着されている。なお、これらの各チルト用コイルも全体として１つの線でつながっている。
【００４３】
また、ベース部材１２上には、一方の永久磁石１４ｂが磁着された突片１２ｂの外面側には、ポリカーボネート等の樹脂から成型されたゲルホルダ３０が配設されている。このゲルホルダ３０には幅方向中央部に円孔３０ａが穿設されており、この円孔３０ａを通して固定ねじ１７を突片１２ｂに螺合することによって、ゲルホルダ３０がベース部材１２に締着されており、更にそのゲルホルダ３０の両側面に隣接して回路基板１８が立設されている。
【００４４】
この回路基板１８には、左右両側近傍においてそれぞれに上下方向で３個所ずつ、導電性を有するサスペンションワイヤ１９ａ，１９ｂ，１９ｃ，１９ｄ，１９ｅ，１９ｆの各一端がハンダ付けにて接続されている。また、図４に示すように、ゲルホルダ３０の左右両側には後述するゲル材が充填されるゲル保持孔３１が設けられ、このゲル保持孔３１は、サスペンションワイヤ１９ａ〜１９ｆを挿通することができるように、水平方向に対向する一対の開口面３１ａを有するように設けられており、６本の各サスペンションワイヤ１９ａ〜１９ｆがこの開口面３１ａを通じてゲル保持孔３１に挿通されている。
【００４５】
更に、各サスペンションワイヤ１９ａ〜１９ｆの各他端は、対物レンズホルダ１３の左右両側に隣接して立設された回路基板２０にハンダ付けにて接続されており、これにより、対物レンズホルダ１３は各サスペンションワイヤ１９ａ〜１９ｆによってベース部材１２に対して揺動可能に支持されている。そして、上段の各サスペンションワイヤ１９ａ，１９ｄの他端はフォーカス用コイルに、中段の各サスペンションワイヤ１９ｂ，１９ｅの他端はトラッキング用コイルに、下段の各サスペンションワイヤ１９ｃ，１９ｆの他端はチルト用コイルにそれぞれ接続されている。
【００４６】
また、各サスペンションワイヤ１９ａ〜１９ｆが挿通されたゲルホルダ３０の各ゲル保持孔３１内には、シリコンを主成分とするゲル材が充填されている。ここでゲル材は、低粘度のゲル材（ゾル）がゲルホルダ３０の各ゲル保持孔３１に注入された後、所定時間の紫外線照射によってゲル状に硬化したものである。そして、このゲルホルダ３０は、対物レンズホルダ１３の駆動に応じて各サスペンションワイヤ１９ａ〜１９ｆに生じた振動をゲル材によって減衰し、抑制する役目を果たしている。
【００４７】
ここで、図２乃至図４に示すように、ゲルホルダ３０の側面にはゲルホルダ３０に設けられた各サスペンションワイヤ１９ａ〜１９ｆが挿通される各ゲル保持孔３１へと通じる、円形状に形成されたゲル材注入用のゲル注入孔３２が穿設されている。なお、これらのゲル注入孔３２は、ゲル材注入時にゲル材をサスペンションワイヤ１９ａ〜１９ｆと平行な方向に均一に注入することができるよう、ゲル保持孔３１の２つの開口面３１ａの中央に位置するように設けられている。また更に、ゲル注入孔３２は、ゲル材注入時にゲル注入孔３２から注入されたゲル材の圧力によって、ゲル保持孔３１内を挿通せしめられているサスペンションワイヤ１９ａ〜１９ｆが変形することがないように、ゲル注入孔３２の内面側開口部（ゲル注入孔３２のゲル保持孔３１側の開口部）が、サスペンションワイヤ１９ａ〜１９ｆと対向しないような高さに位置するように設けられている。
【００４８】
以下、図５乃至図７を参照してこれらのゲル注入孔３２について詳述する。図５は第１実施形態におけるゲルホルダ３０の構成を示す概略上面図、図６は図５に１点鎖線Ａで示す位置で切断したときの断面図（矢視Ａ−Ａ線断面図）、図７はゲル注入孔３２付近（図６の円Ｂ内）の部分拡大図であり、説明の便宜上、サスペンションワイヤ１９ｄ，１９ｅ及びディスペンサのニードル２１も図示している。図８は第１実施形態におけるゲルホルダ３０の他の構成を示すゲル注入孔３２付近の部分拡大図である。
【００４９】
第１実施形態に係る対物レンズアクチュエータ１１に用いられるゲルホルダ３０おいては、図５乃至図７に示すように、ゲル注入孔３２の内周面は、外面側開口部（ゲルホルダ３０の側面側の開口部）の内径Ｄ１が、内面側開口部の内径Ｄ２よりも大径（Ｄ１＞Ｄ２）となるように、内面側に近づくに従って内径を漸次小さくしたテーパ状に形成されている。更に、これら外面側及び内面側の内径Ｄ１，Ｄ２は、ゲル材の注入に用いられるディスペンサのニードル２１の外径ｄ１に対して、外面側の内径Ｄ１がニードル２１の外径ｄ１より大径（Ｄ１＞ｄ１）となるように、内面側の内径Ｄ２がニードル２１の外径ｄ１よりも小径（Ｄ２＜ｄ１）となるように形成されている。
【００５０】
すなわち、例えば、ディスペンサのニードル２１の外径ｄ１が０．９ｍｍである場合には、ゲル注入孔３２の外面側の内径Ｄ１は０．９ｍｍよりも大きくなるように１．０ｍｍに形成され、内面側の内径Ｄ２は０．９ｍｍよりも小さくなるように０．４ｍｍに形成されることとなる。
【００５１】
このように構成することにより、ゲルホルダ３０に設けられたゲル保持孔３１にゲル材を注入する際には、ディスペンサのニードル２１の先端縁を、テーパ状に形成されたゲル注入孔３２の内周面に当接させることにより、ニードル２１の位置決めを行うことができるため、ゲル材注入時にニードル２１の先端がゲル注入孔３２から外れることが防止され、ゲル注入孔３２の周囲にゲル材を付着させてしまうことを防止することができる。また、ゲル注入孔３２の内面側の内径Ｄ２がニードル２１の外径ｄ１よりも小径であるため、ニードル２１の先端をゲル注入孔３２からゲル保持孔３１へと挿入してしまうことがなく、ニードル２１によってゲル保持孔３１に挿通されているサスペンションワイヤ１９ａ〜１９ｆを変形させてしまうことを確実に防止することができる。
【００５２】
なお、ゲル注入孔３２の内面側の内径Ｄ２は、ニードル２１の内径ｄ２と同径若しくはニードル２１の内径ｄ２よりも大径（Ｄ２≧ｄ２）となるように形成しておく、すなわち、例えば、ニードル２１の内径ｄ２が０．４ｍｍである場合には、内面側の内径Ｄ２は０．４ｍｍ以上に形成しておくことが好ましい。これは、内面側の内径Ｄ２がニードル２１の内径ｄ２よりも小径であると、ニードル２１からのゲル材の射出がゲル注入孔３２の内周面によって妨げられることとなり、ゲル材注入作業の作業効率が低下してしまうだけでなく、射出されるゲル材の圧力によってニードル２１の先端がゲル注入孔３２から外れてしまうおそれがあるためである。
【００５３】
また、テーパ状に形成されるゲル注入孔３２の内周面のテーパ角度については、あまりテーパ角度が小さすぎると、ニードル２１の先端が位置決めされないおそれがあるため、テーパ角度は４５°前後に形成しておくことが好ましい。ただし、ニードル２１の先端縁がテーパ状に形成されている場合には、ゲル注入孔３２の内周面のテーパ角度をニードル２１の先端縁のテーパ角度と一致するように形成することにより、ニードル２１の位置決め効果だけでなく、ニードル２１のぐらつきも抑制することができる。更に、ニードル２１の先端縁とゲル注入孔３２の内周面との隙間をなくすことができ、ゲル材注入時にゲル注入孔３２からゲル材が溢れることを防止することができる。
【００５４】
また、第１実施形態の他の構成として、図７に示すように、ゲル注入孔３２の内周面を外面側開口部から内面側開口部にわたってテーパ状に形成せずに、図８に示すように、内面側開口部の内周縁を切削した構成としても構わない。この場合でも、ニードル２１の位置決めができ、ニードル２１の先端をゲル注入孔３２からゲル保持孔３１へと挿入してしまうことを防止することができる。更に、この構成では、ゲル注入孔３２の内面側開口部の内周縁に厚みを持たせることができるため、内周縁の強度を向上させることができる。
【００５５】
次に、対物レンズアクチュエータ１１の第２実施形態について説明する。第２実施形態の対物レンズアクチュエータ１１に用いられるゲルホルダ３０は、ゲル注入孔３２の構成を除いて第１実施形態の対物レンズアクチュエータ１１と同様であるため、構成が異なるゲル注入孔３２の構成についてのみ説明する。なお、第１実施形態と同一の部材については、同一の符号を付して説明する。
【００５６】
図９は第２実施形態におけるゲルホルダ３０のゲル注入孔３２付近の部分拡大図であり、説明の便宜上、サスペンションワイヤ１９ｄ，１９ｅ及びディスペンサのニードル２１も図示している。また、図１０及び図１１は第２実施形態におけるゲルホルダ３０の他の構成を示すゲル注入孔３２付近の部分拡大図である。
【００５７】
図９に示すように、本実施形態におけるゲルホルダ３０に設けられるゲル注入孔３２では、内面側開口部の内周縁にゲル注入孔３２の半径方向内方へと突出し、ニードル２１に当接する当接縁３２ａが形成されている。この当接縁３２ａとニードル２１とが当接する位置におけるゲル注入孔３２の内径Ｄ３は、ニードルの外径ｄ１と略同径（Ｄ３≒ｄ１）となるように形成されており、また当接縁３２ａの突出量Ｌがニードル２１の肉厚Ｔと同等若しくはニードル２１の肉厚Ｔよりも小さく（Ｌ≦Ｔ）なるように形成されている。更に、ゲル注入孔３２の外面側の内径Ｄ１が当接縁３２ａの外径Ｄ３よりも大径（Ｄ１＞Ｄ３）となるように形成されている。
【００５８】
このように構成することにより、ゲルホルダ３０に設けられたゲル保持孔３１にゲル材を注入する際には、ディスペンサのニードル２１の先端縁を、テーパ状に形成された内周面に沿ってゲル注入孔３２へと挿入させ、ニードル２１の先端を当接縁３２ａに当接させることにより、第１実施形態に比べて更に精確にニードル２１の位置決めを行うことができるため、ゲル注入孔３２の周囲にゲル材を付着させてしまうことを確実に防止することができる。
【００５９】
また、当接縁３２ａの突出量Ｌがニードル２１の肉厚Ｔと同等若しくはニードル２１の肉厚Ｔよりも小さく形成されているため、ニードル２１からのゲル材の射出が当接縁３２ａによって妨げられることもなく、射出されるゲル材の圧力によってニードル２１の先端がゲル注入孔３２から外れてしまうことも防止される。なお、当接縁３２ａの突出量Ｌについては、ニードル２１の位置決め効果を向上させるため、ニードル２１の肉厚Ｔと同等（Ｌ＝Ｔ）となるように形成しておくことが好ましい。
【００６０】
なお、ニードル２１の先端縁がテーパ状に形成されている場合には、図１０に示すように、当接縁３２ａのニードル２１との当接面をテーパ状に形成し、そのテーパ角度をニードル２１の先端縁のテーパ角度と一致するように形成することにより、ニードル２１の位置決め効果だけでなく、ニードル２１のぐらつきも抑制することができる。更に、ニードル２１の先端縁とゲル注入孔３２の内周面との隙間をなくすことができ、ゲル材注入時にゲル注入孔３２からゲル材が溢れることを防止することができる。
【００６１】
また、上述のようにニードル２１の先端縁がテーパ状に形成されている場合には、そのテーパ状に形成された先端縁をゲル注入孔３２の外面側開口部の内周縁に沿わせて、ニードル２１をゲル注入孔３２へと挿入することができるため、図１１に示すように、ゲル注入孔３２の内周面をテーパ状に形成していなくても構わない。
【００６２】
更に、ゲル注入孔３２の内面側開口部の内周縁に形成される当接縁３２ａは、その強度を確保するためゲル注入孔３２の内周の全周にわたって形成されていることが望ましいが、当接縁３２ａが十分に厚く形成され強度が確保できる場合には、全周にわたって形成されていなくても構わない。
【００６３】
その他、本発明は上記実施形態に限られるものではなく、本発明の趣旨を逸脱しない範囲で種々の変更が可能であり、例えば、上記第１及び第２実施形態においては、ゲル注入孔３２はゲルホルダ３０の側面に開口するように設けたが、これはゲルホルダ３０の上面に開口するように設けても構わない。また、上記実施形態においては、各ゲル保持孔３１に対して一つのゲル注入孔３２を穿設しているが、これは複数のゲル注入孔３２を穿設しても構わない。
【産業上の利用可能性】
【００６４】
本発明は、光記録媒体に光ビームを照射して情報の記録や情報の読み取りを可能とする光ピックアップ装置に利用することができ、特に対物レンズホルダを支持するワイヤをゲル材で包囲することにより、ワイヤの振動を減衰させるよう構成された対物レンズアクチュエータを搭載した光ピックアップ装置に利用することができる。
【図面の簡単な説明】
【００６５】
【図１】は、本発明に係る光ピックアップ装置の光学系の構成を示す概略図である。
【図２】は、本発明に係る対物レンズアクチュエータの構成を示す概略上面図である。
【図３】は、本発明に係る対物レンズアクチュエータの構成を示す概略側面図である。
【図４】は、第１実施形態に係る対物レンズアクチュエータに備えられたゲルホルダを示す斜視図である。
【図５】は、第１実施形態におけるゲルホルダの構成を示す概略上面図である。
【図６】は、図５に１点鎖線Ａで示す位置で切断したときの断面図（矢視Ａ−Ａ線断面図）である。
【図７】は、第１実施形態におけるゲルホルダに設けられたゲル注入孔付近の部分拡大図である。
【図８】は、第１実施形態におけるゲルホルダの他の構成を示すゲル注入孔付近の部分拡大図である。
【図９】は、第２実施形態におけるゲルホルダに設けられたゲル注入孔付近の部分拡大図である。
【図１０】は、第２実施形態におけるゲルホルダの他の構成を示すゲル注入孔付近の部分拡大図である。
【図１１】は、第２実施形態におけるゲルホルダの他の構成を示すゲル注入孔付近の部分拡大図である。
【図１２】は、従来のゲルホルダを示す斜視図である。
【符号の説明】
【００６６】
１            光ピックアップ装置
１１          対物レンズアクチュエータ
１９ａ，１９ｂ，１９ｃ，１９ｄ，１９ｅ，１９ｆ    サスペンションワイヤ（棒状弾性部材）
２１          ニードル（注入手段）
３０          ゲルホルダ
３１          ゲル保持孔
３１ａ        開口面
３２          ゲル注入孔
３２ａ        当接縁
Ｄ１          外面側開口部の内径
Ｄ２          内面側開口部の内径
Ｄ３          当接縁とニードルが当接する位置の内径
ｄ１          ニードルの外径
ｄ２          ニードルの内径
Ｌ            当接縁の突出量
Ｔ            ニードルの肉厚
【図１】
2008034052.tif 000003
【図２】
2008034052.tif 000004
【図３】
2008034052.tif 000005
【図４】
2008034052.tif 000006
【図５】
2008034052.tif 000007
【図６】
2008034052.tif 000008
【図７】
2008034052.tif 000009
【図８】
2008034052.tif 000010
【図９】
2008034052.tif 000011
【図１０】
2008034052.tif 000012
【図１１】
2008034052.tif 000013
【図１２】
2008034052.tif 000014
【手続補正書】
【提出日】平成19年5月30日(2007.5.30)
【手続補正１】
【補正対象書類名】明細書
【補正対象項目名】０００９
【補正方法】変更
【補正の内容】
【０００９】
そこで、特許文献３乃至５には、ゲルホルダに設けられた貫通孔の側面にゲル材を充填するための注入孔を設けた光ピックアップが開示されている。これによれば、ゲル材が充填される注入孔は比較的小さく形成されているため、注入孔からゲル材を充填した場合に、ゲル材の表面が上下方向で凹み形状や膨らみ形状に形成されたりするおそれがなく、各貫通孔のゲル材充填量を均一にすることができる。
【特許文献１】特開平１１−２６５５１６号公報
【特許文献２】特開２００５−１１６０６２号公報
【特許文献３】特開平１０−１０６０００号公報
【特許文献４】特開２００３−２３３９１９号公報
【特許文献５】特開２００５−２５１２９５号公報